(57)【要約】【課題】  別部材を用いずに、レンズの汚れの検知を自動的に行うことができるディスク再生装置を提供する。【解決手段】  ピックアップユニット５により記憶媒体２の映像信号を読み取り、ＲＦアンプ部８により増幅されるＲＦ信号Ｂの、記憶部１２に記憶される標準ＲＦ信号Ａに対する減衰率を、同じく記憶部１２に記憶される閾値Ｐと比較判定手段９ａにより比較し、閾値Ｐを下回る場合にピックアップレンズ５１が汚れていると判断し、記憶部１２に記憶される警告文データ１２２を、再生中の映像に重畳させて表示部１１に表示することにより、自動的にピックアップレンズ５１の汚れを検知し、ユーザに通知することができる。【選択図】      図１
2007035189.tif 000002
【特許請求の範囲】
【請求項１】
少なくとも記憶媒体に記憶された情報を再生するピックアップレンズを備え、このピックアップレンズから照射したレーザ光を前記記憶媒体で反射させ、その反射レーザ光からＲＦ（Ｒａｄｉｏ  Ｆｒｅｑｕｅｎｃｙ）信号を発生させるピックアップユニットと、前記ＲＦ信号を増幅する信号増幅手段とを備えるディスク再生装置において、前記ＲＦ信号と比較するための標準ＲＦ信号や、閾値などの各種パラメータ等を記憶する記憶手段と、前記ＲＦ信号と前記標準ＲＦ信号を比較し、前記ＲＦ信号と前記標準ＲＦ信号を比較する比較判定手段を有して前記ディスク再生装置の動作を制御するための制御手段とを備え、前記比較判定手段によって得られる比較値により前記ＲＦ信号が減衰しているかを判別し、その比較値が前記閾値を下回る場合、表示部若しくは表示装置に警告表示することを特徴とするピックアップレンズの汚れ検知機能を備えたディスク再生装置。
【請求項２】
前記ディスク再生装置は、前記比較判定手段による前記ＲＦ信号の減衰を判別する動作の回数を一時的に記憶するタイマカウント手段を備え、前記動作回数により異なる警告表示を行うことを特徴とする請求項１に記載のピックアップレンズの汚れ検知機能を備えたディスク再生装置。
【請求項３】
前記ＲＦ信号と前記標準ＲＦ信号の比較は、双方の周波数波形の最大振幅時における利得幅の比較により行われることを特徴とする請求項１又は２に記載のピックアップレンズの汚れ検知機能を備えたディスク再生装置。
【請求項４】
前記記憶手段にはピックアップレンズの汚れを示す警告文をＯＳＤ（Ｏｎ  Ｓｃｒｅｅｎ  Ｄｉｓｐｌａｙ）表示をするための表示データ等が記憶され、前記比較判定手段によって得られる比較値が前記閾値を下回る場合、前記表示部若しくは表示装置に警告文をＯＳＤ表示することを特徴とする請求項１〜３の何れか１項に記載のピックアップレンズの汚れ検知機能を備えたディスク再生装置。
【発明の詳細な説明】
【技術分野】
【０００１】
本発明は、ピックアップレンズを備えたディスク再生装置、特にピックアップレンズの汚れを警告表示するように構成したピックアップレンズの汚れ検知機能を備えたディスク再生装置に関する。
【背景技術】
【０００２】
従来、ディスク再生装置において、その再生のための信号を読み取るためのピックアップレンズを有し、挿入された記憶媒体に対してレーザ光を発光し、記憶媒体による反射レーザ光を受光することで、前記記憶媒体の信号の読み取りを行っている。このピックアップレンズに埃やゴミが付着することにより、記憶媒体の読み取り不良などが起こることがあり、この読み取り不良を自動的に検知するために種々の方法が開示されている。
【０００３】
例えば、特許文献１では、透過率の異なる領域を複数もつ光ディスクを用い、当該光ディスクを再生し、その反射率によりピックアップユニットの汚れの度合いを検出し、通知する方法が開示されている。
【０００４】
また、特許文献２では、発光部と、ピックアップレンズを挟んで対峙する位置に、光出力を検知する部材を配置し、発光部からのレーザ光がピックアップレンズによってどの程度減衰するかを調べ、事前に記憶装置により記憶した出力レベルと比較し、汚れていると判断される場合にその旨を通知する方法が開示されている。
【０００５】
【特許文献１】特開平７−１４２１４号公報
【特許文献２】特開２００４−３９１８９号公報
【発明の開示】
【発明が解決しようとする課題】
【０００６】
しかしながら、特許文献１及び特許文献２に開示される方法では、新たに部品や部材を使用若しくは設置しなくてはならず、製造コストの上昇を招く要因となってしまう。
【０００７】
本発明は上記課題を鑑みてなされたものであり、専用の媒体や外部装置を用いることなく、ピックアップレンズの汚れを自動的に検出する、ピックアップレンズの汚れ検知機能を備えたディスク再生装置を提供することを目的とする。
【課題を解決するための手段】
【０００８】
請求項１に係るピックアップレンズの汚れ検地機能を備えたディスク再生装置は、少なくとも記憶媒体に記憶された情報を再生するピックアップレンズを備え、このピックアップレンズから照射したレーザ光を前記記憶媒体で反射させ、その反射レーザ光からＲＦ（Ｒａｄｉｏ  Ｆｒｅｑｕｅｎｃｙ）信号を発生させるピックアップユニットと、前記ＲＦ信号を増幅する信号増幅手段とを備えるディスク再生装置において、前記ＲＦ信号と比較するための標準ＲＦ信号や、閾値などの各種パラメータ等を記憶する記憶手段と、前記ＲＦ信号と前記標準ＲＦ信号を比較し、前記ＲＦ信号と前記標準ＲＦ信号を比較する比較判定手段を有して前記ディスク再生装置の動作を制御するための制御手段とを備え、前記比較判定手段によって得られる比較値により前記ＲＦ信号が減衰しているかを判別し、その比較値が前記閾値を下回る場合、表示部若しくは表示装置に警告表示することを特徴とする。
【０００９】
請求項１の構成によれば、記憶媒体に記憶された映像データ等を読み込む際に、ピックアップユニットにより発生させ、信号増幅手段で増幅するＲＦ信号を、予め記憶手段により記憶した標準ＲＦ信号と比較し、ＲＦ信号に顕著な減衰が見られる場合、ピックアップユニット内部若しくは記憶媒体に不具合が生じていると判断し、該不具合が生じている旨を示す警告表示が成される。
【００１０】
請求項２に係るピックアップレンズの汚れ検知機能を備えたディスク再生装置は、請求項１に記載のピックアップレンズの汚れ検知機能を備えたディスク再生装置において、前記ディスク再生装置は、前記比較判定手段による前記ＲＦ信号の減衰を判別する動作の回数を一時的に記憶するタイマカウント手段を備え、前記動作回数により異なる警告表示を行うことを特徴とする。
【００１１】
請求項２の構成によれば、ＲＦ信号の減衰が比較判定手段により確認された場合、例えば、一回目はピックアップレンズの汚れの可能性を示す警告表示を行い、二回目は記憶媒体であるディスクの汚れや歪曲の可能性を示す警告表示を行うといった、段階的に不具合の判定をすることができる。
【００１２】
請求項３に係るピックアップレンズの汚れ検知機能を備えたディスク再生装置は、請求項１又は２に記載のピックアップレンズの汚れ検知機能を備えたディスク再生装置において、前記ＲＦ信号と前記標準ＲＦ信号の比較は、双方の周波数波形の最大振幅時における利得幅の比較により行われることを特徴とする。
【００１３】
請求項３の構成によれば、予め記憶手段により記憶した標準ＲＦ信号と、記録媒体からデータを読み込む際に発生させるＲＦ信号のそれぞれの最大振幅時の利得幅を比べることで、信号の減衰を確実に判別することができ、これにより、ピックアップレンズや記憶媒体の不具合を判断することができる。
【００１４】
請求項４に係るピックアップレンズの汚れ検知機能を備えたディスク再生装置は、請求項１から３の何れか１項に記載のピックアップレンズの汚れ検知機能を備えたディスク再生装置において、前記記憶手段にはピックアップレンズの汚れを示す警告文をＯＳＤ（Ｏｎ  Ｓｃｒｅｅｎ  Ｄｉｓｐｌａｙ）表示をするための表示データ等が記憶され、前記比較判定手段によって得られる比較値が前記閾値を下回る場合、前記表示部若しくは表示装置に警告文をＯＳＤ表示することを特徴とする。
【００１５】
請求項４の構成によれば、記憶手段に警告文を示すＯＳＤ表示データを予め記憶しておくことで、比較判定手段により記憶媒体の信号の読み取りに不具合が生じている場合、その要因と思われる警告文をユーザに表示することができる。
【発明の効果】
【００１６】
請求項１に係るピックアップレンズの汚れ検知機能を備えたディスク再生装置は、少なくとも記憶媒体に記憶された情報を再生するピックアップレンズを備え、このピックアップレンズから照射したレーザ光を前記記憶媒体で反射させ、その反射レーザ光からＲＦ（Ｒａｄｉｏ  Ｆｒｅｑｕｅｎｃｙ）信号を発生させるピックアップユニットと、前記ＲＦ信号を増幅する信号増幅手段とを備えるディスク再生装置において、前記ＲＦ信号と比較するための標準ＲＦ信号や、閾値などの各種パラメータ等を記憶する記憶手段と、前記ＲＦ信号と前記標準ＲＦ信号を比較し、前記ＲＦ信号と前記標準ＲＦ信号を比較する比較判定手段を有して前記ディスク再生装置の動作を制御するための制御手段とを備え、前記比較判定手段によって得られる比較値により前記ＲＦ信号が減衰しているかを判別し、その比較値が前記閾値を下回る場合、表示部若しくは表示装置に警告表示するので、ディスク等の記憶媒体を再生する際に発生させるＲＦ信号により、ピックアップユニットやディスク自体の不具合を判別することができ、特別な装置を必要とせず、低コストでディスク再生装置若しくはディスク自体の不具合検知機能を実現することができる。
【００１７】
請求項２に係るピックアップレンズの汚れ検知機能を備えたディスク再生装置は、請求項１に記載のピックアップレンズの汚れ検知機能を備えたディスク再生装置において、前記ディスク再生装置は、前記比較判定手段による前記ＲＦ信号の減衰を判別する動作の回数を一時的に記憶するタイマカウント手段を備え、前記動作回数により異なる警告表示を行うので、ＲＦ信号が減衰する要因である不具合を排除するために、ユーザへの不具合の排除方法を、自動的に且つ１つずつ提示することができる。
【００１８】
請求項３に係るピックアップレンズの汚れ検知機能を備えたディスク再生装置は、請求項１又は２に記載のピックアップレンズの汚れ検知機能を備えたディスク再生装置において、前記ＲＦ信号と前記標準ＲＦ信号の比較は、双方の周波数波形の最大振幅時における利得幅の比較により行われるので、ＲＦ信号の減衰を確実に判別することができる。
【００１９】
請求項４に係るピックアップレンズの汚れ検知機能を備えたディスク再生装置は、請求項１から３の何れか１項に記載のピックアップレンズの汚れ検知機能を備えたディスク再生装置において、前記記憶手段にはピックアップレンズの汚れを示す警告文をＯＳＤ（Ｏｎ  Ｓｃｒｅｅｎ  Ｄｉｓｐｌａｙ）表示をするための表示データ等が記憶され、前記比較判定手段によって得られる比較値が前記閾値を下回る場合、前記表示部若しくは表示装置に警告文をＯＳＤ表示するので、ユーザは自らディスク再生装置の動作を調べることなく、ディスク再生装置を利用している最中に自動的に表示される警告文により、ピックアップレンズの汚れなどの不具合を把握することができ、ディスク再生装置の利便性が向上する。
【発明を実施するための最良の形態】
【００２０】
以下、本発明を実施するための最良の形態としての実施例を図１から図１１を参照して説明する。もちろん、本発明は、その発明の趣旨に反さない範囲で、実施例において説明した以外のものに対しても容易に適用可能なことは説明を要するまでもない。
【００２１】
図１〜図１１は、本発明の実施例を示し、図１は、本実施例におけるディスク再生装置の構成を示すブロック図である。図２〜６は、ディスク再生装置のレンズ汚れ検知機能の動作を示すフローチャート図である。図７〜１０は、表示部若しくは表示装置に表示される警告文を示す説明図である。図１１は、ＲＦ信号の波形を示す説明図である。
【００２２】
本実施例におけるディスク再生装置の構成について、図１に基づいて説明する。１はディスク再生装置である。２は挿入されたＣＤ（Ｃｏｍｐａｃｔ  Ｄｉｓｋ）若しくはＤＶＤ（Ｄｉｇｉｔａｌ  Ｖｉｒｓａｔｉｌｅ  Ｄｉｓｋ）などの記憶媒体である。３は記憶媒体２を回転させるためのスピンドルモータであり、４はスピンドルモータの回転や停止などを制御するスピンドルモータドライバである。５は、ピックアップユニットであり、ピックアップレンズ５１と、図示しない発光素子と、レーザ光を放射する発光部５２と、図示しない受光素子及びＰＤＩＣ（Ｐｈｏｔｏ  Ｄｉｒｅｃｔ  Ｉｎｔｅｇｒａｔｅｄ  Ｃｉｒｃｕｉｔ）と、受光したレーザ光をＲＦ信号に変換する受光部５３と、該ピックアップユニット５を駆動させるためのアクチュエータ部５４から構成される。６は発光制御部であり、後述の制御部からの指示を受け、発光部５２の制御を行う。７はドライバ部であり、後述する制御部からの指示により、アクチュエータ部５４の動作を制御する。８はＲＦアンプ部であり、受光部５３によりレーザ光を変換して発生するＲＦ信号を増幅する信号増幅手段である。９は制御部であり、ディスク再生装置１の制御を行う制御手段であり、９ａはＲＦ信号の比較によるピックアップユニット５若しくは記憶媒体の不具合を検知する動作を担う比較判定手段である。１０はタイマ部であり、不具合検知機能の動作時のパラメータを一時的に保存するタイムカウント手段である。１１は表示部若しくは表示装置であり、ディスク再生装置によって再生された映像や、ＯＳＤの表示を行う。１２は記憶部であり、閾値や警告文のＯＳＤ表示データなどを記憶する記憶手段である。
【００２３】
次に、図２〜７に基づいて、ディスク再生装置１のピックアップレンズの汚れ検知機能の動作について説明する。本実施例の説明に際し、以下の符号を用いる。尚、以下の符号に与える初期値等の数値については、本発明の趣旨を明確にするための、又、本実施例の説明を容易に理解するための便宜上の値であり、本発明をこれに限定するものではない。Ｐは標準ＲＦ信号Ａの最大振幅に対するＲＦ信号Ｂの最大振幅の割合（以降、Ｂ／Ａと呼ぶ。）と比較を行う閾値であり、初期値を７０（単位は％）とする。Ｎは警告文表示時間を示し、初期値を１５（単位は秒）とする。Ｔ１、Ｔ２はそれぞれフローチャートにおいて所定の箇所の通過回数をカウントするタイムカウントであり、初期値をそれぞれ０（単位は回）とする。Ｑ１、Ｑ２はフローチャートにおいて所定の箇所におけるＲＦ信号Ｂの最大振幅／標準ＲＦ信号Ａの最大振幅の値を記憶する記憶値であり、初期値をそれぞれ７０、０（単位は％）とする。尚、記憶媒体の再生に伴って発生するＲＦ信号は図１１に示すような波形となっている。
【００２４】
続いて、比較判定手段９ａの動作をケース１から５として説明する。はじめに、ピックアップレンズ５１若しくは記憶媒体２に不具合が無い状態である、Ｂ／Ａの値が７５％とするケース１について説明する。このケースを、記憶媒体の装填を初回とする（Ｓ０００１）。ユーザがディスク等の記憶媒体２を装置に装填する（Ｓ０００２）。標準ＲＦ信号Ａの最大振幅と記憶媒体２のＲＦ信号Ｂの最大振幅とを比較し、閾値Ｐを上回っているかを判断する（Ｓ０００３）。本ケースは、Ｂ／Ａは７５％であるため、閾値Ｐの値を上回っており、ピックアップユニット及び記憶媒体２の双方に問題が無いと判断される。記憶値Ｑ１、Ｑ２及びタイムカウントＴ１、Ｔ２を初期設定値にリセットし（Ｓ０００４）、記憶媒体２の再生を通常通り実行する。
【００２５】
次に、ピックアップレンズ５１若しくは記憶媒体２に不具合がある場合である、Ｂ／Ａの値が６０％とするケース２について説明する。このケースは、ケース1と同様に記憶媒体の装填を初回とする（Ｓ０００１）。ユーザがディスク等の記憶媒体２を装置に装填する（Ｓ０００２）。Ｂ／Ａを比較し、閾値Ｐを上回っているかを判断する（Ｓ０００３）。本ケースは、Ｂ／Ａ＝６０％であるため、閾値Ｐの値を下回っており、ピックアップユニット５又は記憶媒体２のどちらか、若しくは双方に不具合があると考えられるため、ステップＳ０００６に進む。閾値Ｐと記憶値Ｑ１が同じ値であるかを判断する（Ｓ０００６）。初期設定として閾値Ｐ及び記憶値Ｑ１は共に７０％としており、変動は無いため、ステップＳ０００７に進む。記憶媒体２からのＲＦ信号Ｂの最大振幅が０かどうかを判断し（Ｓ０００７）、ＲＦ信号Ｂの最大振幅≠０の場合は図３に示すフローチャートのＳ１００１に移行する。ＲＦ信号Ｂの最大振幅が０の場合については後述する。
【００２６】
図３に示すフローチャート１において、記憶値Ｑ１にＢ／Ａの値を代入する（Ｓ１００２）。本ケースにおいては、記憶値Ｑ１にはＢ／Ａ（本ケースでは６０％）が代入されるので、記憶値Ｑ１は初期設定値７０％から６０％に変更される。続いて記憶媒体２の再生を実行する（Ｓ１００３）。続いて警告文ＯＳＤを表示する期間を計測するための時間計測を行う（Ｓ１００４）。この時間計測をｎ１とし、１秒ごとにカウントアップするものとする。その後、表示部１１に、図７に示すようなピックアップレンズ５１のクリーニングを促す警告文ＯＳＤを記憶部１２の警告文データ１２２から読み出し、再生中の映像に重畳して表示する（Ｓ１００５）。警告文ＯＳＤを表示中にユーザが記憶媒体２を取り出すかを判断し（Ｓ１００６）、取り出しを指示した場合、時間計測ｎ１を停止し（Ｓ１００７）、時間計測ｎ１をリセットし（Ｓ１００８）、更に警告文ＯＳＤを停止する（Ｓ１００９）。また、Ｓ１００８にてユーザが記憶媒体２の取り出しを指示しない場合、時間計測ｎ１が初期設定値Ｎ（１５秒）に達するまで映像の再生を継続し（Ｓ１０１０）、時間計測ｎ１＝Ｎとなったら、時間計測ｎ１をリセットし（Ｓ１０１１）、警告文ＯＳＤの表示を停止し（Ｓ１０１２）、ユーザが記憶媒体２を取り出すまで（Ｓ１０１３）、記憶媒体２の再生を継続する（Ｓ１０１４）。ステップＳ１００９の処理の後、若しくはステップＳ１０１３にて記憶媒体２の取り出しが指示された後、Ｂ／Ａ≦Ｑ１となるかを判断する（Ｓ１０１５）。本ケースにおいて、Ｂ／Ａの値は再生中に改善されておらず、６０％であるとすると、Ｂ／Ａ＝Ｑ１となり、タイムカウントＴ１は０のままとなり、記憶媒体２が排出される（Ｓ１０１７）。
【００２７】
また、ステップＳ０００７で記憶媒体２からのＲＦ信号Ｂの最大振幅が０と判断された場合は、明らかにピックアップユニット５の不具合であることから、図６に示すフローチャート４へ進む（Ｓ４００１）。まず時間計測ｎ４を開始し、１秒毎にカウントアップを行う（Ｓ４００２）。続いて、表示部１１に、図１０のような警告文ＯＳＤの表示を行い、ディスク再生装置１に異常が発生していることを通知する（Ｓ４００３）。警告文ＯＳＤが表示されている間にユーザが記憶媒体２の排出を指示するかを判別し（Ｓ４００４）、排出が指示された場合は時間計測ｎ４を停止し（Ｓ４００５）、記憶媒体２の排出が指示されない場合は、時間計測ｎ４＝Ｎ（１５秒）が経過するまで警告文ＯＳＤの表示を継続する（Ｓ４００６）。ステップＳ４００５にて時間計測ｎ４の停止処理が行われた後、若しくはステップＳ４００６にて時間計測ｎ４がＮに達した際に、時間計測ｎ４をリセットし（Ｓ４００７）、記憶媒体２の排出を行う。すなわち、ユーザが記憶媒体２の排出の指示を行わなくても、強制的に記憶媒体２の排出を行うこととなる。
【００２８】
上記ケース２に続いて、記憶媒体２を排出した後、クリーニング用媒体Ｘを挿入するケース３について説明する。クリーニング用媒体ＸによるＢ／Ａは６５％と仮定する。このケースは、上記のケース２の記憶媒体２の挿入を起算として通算２回目の媒体挿入となる（Ｓ０００１）。クリーニング用媒体Ｘを挿入する（Ｓ０００２）。Ｂ／Ａ＝６５％と閾値Ｐと比較をすると、閾値Ｐを５％下回っているので、閾値Ｐと記憶値Ｑ１に記憶された値を比較する（Ｓ０００６）。本ケースでは、閾値Ｐ＝７０％、記憶値Ｑ１は先のケース２において６０％が代入されているので、ステップＳ０００８に進む。ここではＢ／Ａが記憶値Ｑ１以上かにより判断を行い（Ｓ０００８）、本ケースではＢ／Ａ＝６５％、Ｑ１＝６０％なので、ステップＳ０００９に進む。続いて、タイムカウントＴ１が１であるかを判断する（Ｓ０００９）。ここで、先のケースにおいて、タイムカウントＴ１＝０としているので、ステップＳ１００１へと進む。タイムカウントＴ１＝１である場合の動作の詳細はケース４の説明にて詳述する。ステップＳ１００１以降の動作は、先のケース２とほぼ同一であるため、Ｓ１００２〜Ｓ１０１５までの説明は省略する。クリーニング用媒体Ｘを再生することにより、Ｂ／Ａの値は向上されるので、Ｓ１０１５において、Ｂ／Ａ＞Ｑ１となり、タイムカウントＴ１に１が代入され（Ｓ１０１６）、クリーニング用媒体Ｘが排出される（Ｓ１０１７）。
【００２９】
上記ケース３に続き、再度記憶媒体２を挿入するケース４について説明する。ケース３のクリーニング用媒体Ｘの再生により、Ｂ／Ａの値が６８％に向上したものとする。実際にはケース２にて閾値Ｐの値を越えることもあり、その場合はケース１の動作を行うことになる。本ケースにおいて、記憶値Ｑ１＝６５％、タイムカウントＴ１＝１に変更された状態で動作を開始する（Ｓ０００１）。ケース２で挿入した記憶媒体２を挿入する（Ｓ０００２）。Ｂ／Ａと閾値Ｐを比較する（Ｓ０００３）。本ケースはＢ／Ａ＝６８％とするので、ケース３の場合と同様にステップＳ０００６、ステップＳ０００８と進み、ステップＳ０００９にてタイムカウントＴ１の値が１であるかを判断する。先のケース３にてタイムカウントＴ１には１が代入されているので、次のステップへ進み、タイムカウントＴ２に代入された値を判断する（Ｓ００１０）。タイムカウントＴ２は初期値である０であるため、ステップＳ２００１へ進む。
【００３０】
続いて、タイムカウントＴ２＝１、記憶値Ｑ１＝Ｂ／Ａをそれぞれ代入する（Ｓ２００２）。挿入された記憶媒体２の再生を行い（Ｓ２００３）、時間計測ｎ２を１秒毎にカウントアップさせる（Ｓ２００４）。表示部１１に、図８のようなディスク自体のクリーニングを促す警告文ＯＳＤを記憶部１２の警告文データ１２２から読み出し、重畳させて表示し（Ｓ２００５）、ユーザに再生中の記憶媒体２の排出を促す。警告文ＯＳＤが表示中にユーザが記憶媒体２の排出を指示した場合（Ｓ２００６）、時間計測ｎ２を停止し（Ｓ２００７）、時間計測ｎ２をリセットし（Ｓ２００８）、警告文ＯＳＤの表示を停止する（Ｓ２００９）。また、ユーザが記録媒体２の排出を指示しない場合、時間計測ｎ２＝Ｎ（１５秒）となるまで、警告文ＯＳＤを表示し（Ｓ２０１０）、時間計測ｎ２＝Ｎとなったら時間計測ｎ２をリセットし（Ｓ２０１１）、警告文ＯＳＤの表示を停止する（Ｓ２０１２）。その後、ユーザから記憶媒体２の排出が指示されるまで（Ｓ２０１３）、記憶媒体２の再生を継続する（Ｓ２０１４）。ステップＳ２００９により警告文ＯＳＤの表示が停止されるか、若しくはステップ２０１３にてユーザから記憶媒体２の排出が指示された場合、記憶値Ｑ２にＢ／Ａを代入し（Ｓ２０１５）、記憶媒体２の排出を行う（Ｓ２０１６）。
【００３１】
次にケース４の警告文に従って、ユーザが記録媒体２のクリーニングを行い、再々度ディスク再生装置１に挿入するケース５について説明する。記録媒体２のクリーニングを行ったが、Ｂ／Ａの値は改善されず、６８％のままであるとする。このとき、ケース４までの間に、記憶値Ｑ１＝Ｑ２＝６８％、タイムカウントＴ１＝Ｔ２＝１にそれぞれ変更されている（Ｓ０００１）。クリーニングされた記憶媒体２がユーザにより挿入される（Ｓ０００２）。Ｂ／Ａ、記憶値Ｑ１の値により、ステップＳ０００３、ステップＳ０００６、ステップＳ０００８、ステップＳ０００９と順次進む。動作の詳細は、先述のケース１〜４における動作と同様であるため省略する。タイムカウントＴ２＝１であるかを判断し（Ｓ００１０）、Ｔ２＝１であるので、ステップＳ００１１に進む。続いて、Ｂ／Ａ≦Ｑ２であるかの判断を行う（Ｓ００１１）。本ケースにおいて、Ｂ／Ａ＝６８％、記憶値Ｑ２＝６８％であることからステップＳ３００１へと進む。
【００３２】
図５に示すフローチャートにおいて、タイムカウントＴ２を１から０に変更し、記憶値Ｑ１を現在挿入中の記憶媒体２のＲＦ信号との比較値であるＢ／Ａ（６８％）に変更する（Ｓ３００２）。記憶媒体２の再生を行い（Ｓ３００３）、時間計測ｎ３を開始して、１秒毎にカウントアップを行う（Ｓ３００４）。続いて、表示部１１に、図９に示すようなディスク自体の異常を示す警告文ＯＳＤを記憶部１２の警告文データ１２２から読み出し、再生中の映像に重畳させて表示する（Ｓ３００５）。ユーザによる記憶媒体２の排出の指示の有無を判断し（Ｓ３００６）、排出された場合は、時間計測ｎ３を停止し（Ｓ３００７）、時間計測ｎ３をリセットし（Ｓ３００８）、警告文ＯＳＤの表示を停止する（Ｓ３００９）。ここで、ステップＳ３００６にてユーザによる記憶媒体２の排出の指示が無い場合、時間計測ｎ３＝Ｎ（１５秒）となるまで警告文ＯＳＤの表示を継続し（Ｓ３０１０）、時間計測ｎ３＝Ｎとなった時、時間計測ｎ３をリセットし、警告文ＯＳＤの表示を停止する（Ｓ３０１２）。その後、ユーザにより記憶媒体２の排出の指示があるまで（Ｓ３０１３）、記憶媒体２に記憶された映像の再生を継続する（Ｓ３０１４）。ステップＳ３００９の警告文ＯＳＤの表示の停止処理が行われた後、若しくはステップＳ３０１３にてユーザの記憶媒体２の排出の指示が行われた後、ディスク再生装置１から記憶媒体２の排出を行う（Ｓ３０１５）。
【００３３】
次に、挿入された記憶媒体２に不具合が生じていることをケース５で認識し、ユーザが別の記憶媒体である、Ｂ／Ａ＝７５％と仮定する記憶媒体Ｙにより再生を行う、ケース６を説明する。記憶媒体Ｙの挿入前において、記憶値Ｑ１及びＱ２は６８％、タイムカウントＴ１は１、タイムカウントＴ２は０に、それぞれ変更された状態にある（Ｓ０００１）。ケース２，４，５に使用した記憶媒体２とは別の記憶媒体Ｙをディスク再生装置１に挿入する（Ｓ０００２）。Ｂ／Ａ≧Ｐであるかを判断し（Ｓ０００３）、Ｂ／Ａ＝７５％、閾値Ｐ＝７０％であることから、記憶値Ｑ１＝７０％、記憶値Ｑ２＝０％、タイムカウントＴ１＝０、タイムカウントＴ２＝０と、それぞれ初期設定値に戻し（Ｓ０００４）、記憶媒体Ｙに記憶された映像の再生を行う（Ｓ０００５）。
【００３４】
次に、ケース３において、ステップＳ０００８にてＢ／Ａ＜Ｑ１となる場合の動作の説明をする。クリーニング用媒体Ｘの挿入時（ケース２から起算して２回目の挿入）において、ケース１にて記憶値Ｑ１に記憶されたＢ／Ａの値より低い数値に、現時点におけるＢ／Ａがなってしまった場合、ピックアップユニット５や、その他のディスク再生装置１を構成する部品に不具合が生じていることが考えられる。そこで、まずクリーニング用媒体ＸによるＲＦ信号Ｂが発生しているか否かを判別する（Ｓ００１２）。ＲＦ信号Ｂの最大振幅が０では無い場合は、ディスク自体に汚損が生じていると判断し、ステップＳ３００１へ進み、ケース５のステップＳ３００１以降と同様の動作を行う。
【００３５】
以上のように構成されるディスク再生装置１によれば、挿入した記憶媒体２の再生時に発生するＲＦ信号の最大振幅と、予め記憶した標準ＲＦ信号の最大振幅を比較し、所定の閾値により状態を判断することにより、別の診断用部品若しくは診断用媒体を用いずとも、自動的にピックアップユニット５の不具合若しくはピックアップレンズ５１の汚れを検知することが可能となる。また、ピックアップレンズ５１の汚れによるＲＦ信号の減衰や回復の状態を記憶媒体の挿抜毎に一時的に記憶することにより、ユーザに段階的な対処の方法の通知を可能にすることができる。また、制御手段９であるマイコンや、記憶部１２として用いる不揮発性媒体の他に必要となる部材がなく、低コストによってピックアップレンズ５１の汚れ検知機能を実現することができる。
【００３６】
以上、本発明の実施例を詳述したが、本発明は前記実施例に限定されるものではなく、本発明の要旨の範囲内で種々の変形実施が可能である。例えば、閾値Ｐを７０％としたが、これに限定せずに本発明を適用するディスク再生装置の構造や構成により変動させても良い。また、フローチャート上での各種判断を所定の範囲を示すものにし、本発明を適用するディスク再生装置の構成に適合する条件としても何ら問題は無い。
【図面の簡単な説明】
【００３７】
【図１】本発明の実施例である、ディスク再生装置の構成を示すブロック図である。
【図２】同上、ディスク再生装置の動作を示すフローチャート図である。
【図３】同上、ディスク再生装置の動作を示すフローチャート図である。
【図４】同上、ディスク再生装置の動作を示すフローチャート図である。
【図５】同上、ディスク再生装置の動作を示すフローチャート図である。
【図６】同上、ディスク再生装置の動作を示すフローチャート図である。
【図７】同上、ピックアップレンズのクリーニングを示す警告文ＯＳＤを表示部に表示した状態を示す説明図である。
【図８】同上、挿入された記憶媒体のクリーニングを示す警告文ＯＳＤを表示部に表示した状態を示す説明図である。
【図９】同上、挿入された記憶媒体の異常を示す警告文ＯＳＤを表示部に表示した状態を示す説明図である。
【図１０】同上、ディスク再生装置自体の異常を示す警告文ＯＳＤを表示部に表示した状態を示す説明図である。
【図１１】同上、ＲＦ信号の波形の一例を示す説明図である。
【符号の説明】
【００３８】
１    ディスク再生装置
２    記憶媒体
５    ピックアップユニット
５１  ピックアップレンズ
８    ＲＦアンプ部（信号増幅手段）
９    制御部（制御手段）
９ａ  比較判定手段
１０    タイマ部（タイムカウント手段）
１２    記憶部（記憶手段）
１２１  閾値データ
１２２  警告文データ
１２３  標準ＲＦ信号データ
【図１】
2007035189.tif 000003
【図２】
2007035189.tif 000004
【図３】
2007035189.tif 000005
【図４】
2007035189.tif 000006
【図５】
2007035189.tif 000007
【図６】
2007035189.tif 000008
【図７】
2007035189.tif 000009
【図８】
2007035189.tif 000010
【図９】
2007035189.tif 000011
【図１０】
2007035189.tif 000012
【図１１】
2007035189.tif 000013